(57)【要約】      （修正有）【課題】緊急災害時における災害情報画面をデジタル放送受像機において、選択的に見ることができ、しかも専用ソフトやブラウザなどによる特別なサービスシステムを利用することなく、視聴者の意思をもって積極的にリアルタイムで見ることができる災害情報連絡表示システムを提供する。【解決手段】情報入力システム側からの緊急災害情報を受信したとき、又は監視カメラ画像に特別な変化が見られたとき、当該緊急災害情報を表示する意思があるか否かを伺う旨の情報を含むメッセージ画面を、デジタル放送システムを介してデジタル放送受像機に配信し、デジタル放送受像機側からの災害情報画面配信要求指令を行ったとき、情報入力システム側の監視カメラで捉えた画像、当該画像に関連する災害時に必要な情報を含む災害情報画面を、デジタル放送システムを介してデジタル放送受像機に配信し、前記デジタル受像機の表示部にて見えるようにする手段をＴＶ局に設けた。【選択図】図１
2015039109.tif 000002
【特許請求の範囲】
【請求項１】
各種災害情報を提供する災害情報システム、複数の監視カメラを含む監視カメラシステム、デジタル放送受像機と連携し、前記デジタル放送受像機の表示部に災害情報を表示する意思があるか否かを伺う旨の情報をメッセージ画面用とし、また、監視カメラ画像、及び当該災害情報に必要となる災害時必要情報メニューを含む情報を災害情報画面用としてＴＶ視聴者側のデジタル放送受像機に配信するＴＶ局を備え、
前記ＴＶ局は、災害情報受信システム、デジタル放送システム、を有し、
前記災害情報受信システムは、
前記災害情報システムの災害情報及び前記監視カメラシステムの監視カメラ画像を受信する手段、
前記受信した監視カメラ画像の動きから、当初の監視カメラ画像に変化が有るか無いか、また前記受信した災害情報をもって、災害発生時の緊急度を判定する手段、
前記メッセージ画面に関するメッセージ情報、前記災害情報画面のメニューに関するメニュー情報、及び当該メニュー情報に関連する各種の情報を格納する情報格納手段、
前記判定手段にて緊急度判定結果、緊急度が高いと判定されたとき、前記メッセージ情報を前記情報格納手段から読み出し、又は前記デジタル受像機側から送信される災害情報画面配信要求指令を受けたとき、前記メッセージ情報、前記メニュー情報、及び前記各種情報を前記情報格納手段から読み出す情報読取手段、を有し、
前記デジタル放送システムは、
前記メッセージ情報をメッセージ画面とし、またメニュー情報、監視カメラ画像、各種情報を含む情報を災害情報画面として、前記デジタル放送受像機に配信する災害情報画面配信手段、
前記デジタル放送受像機側からの災害情報画面配信要求指令を受信する災害情報配信要求指令受信手段、を有し、
前記デジタル放送受像機は、
前記デジタル放送システム側から受信したメッセージ画面、及び災害情報画面を表示する表示手段、
ＴＶ視聴者が前記デジタル放送受像機の表示手段に表示されたメッセージ画面を見て、災害情報を表示する意思がある旨を示す前記災害情報画面配信要求指令を、リモートコントロールを介して行ったとき、当該指令を前記デジタル放送システム側に送信する送受信手段、
前記災害情報画面配信要求指令を受け、当該表示手段の表示画面をＴＶ映像画面から災害情報画面に切り替える画面切替制御手段、
を有し、
前記表示手段は、
前記デジタル放送システムからの放送コンテンツを表示するＴＶ映像画面、前記メッセージ情報を表示するメッセージ画面、及び前記メニュー情報、前記各種情報、前記監視カメラ画像を含む災害情報画面、をそれぞれ表示する表示領域を有し、
前記画面切替制御手段は、
前記デジタル放送受像機側の視聴者が前記メッセージ画面を選択しとき、前記表示手段の表示画面を前記災害情報画面に切り替えて前記監視カメラ画像、前記メニュー情報を含む災害情報画面を表示するように制御し、
かつ前記デジタル放送受像機側の視聴者が前記メニュー情報を含むメニュー画面の何れかを選択したとき、当該選択したメニュー画面に関連する前記各種情報を表示するに制御する
ことを特徴とする災害情報連絡表示システム。
【請求項２】
前記メニュー画面は、避難所に関する情報を含むメニュー画面、緊急連絡に関する情報を含むメニュー画面、公共機関からの掲示情報を含むメニュー画面、監視カメラ画像の拡大画面を含むメニュー画面、複数の監視カメラの監視カメラ画像を複数の分割画面として表示するメニュー画面、を含むことを特徴とする請求項１記載の災害情報連絡表示システム。
【請求項３】
前記画面切替制御手段は、ＴＶリモコンからのリモートによる災害情報画面切替指令を受け、デジタル放送受像機の表示部に表示される画面を前記デジタル放送システムからの災害情報画面となるよう切り替え制御することを特徴とする請求項１記載の災害情報連絡表示システム。
【請求項４】
前記避難所に関する情報を含むメニュー画面を選択したとき、避難地図や防災に関連する近隣店舗、を前記災害情報画面の一部として表示することを特徴とする請求項１記載の災害情報連絡表示システム。
【請求項５】
前記公共機関からの掲示情報を含むメニュー画面を選択したとき、当該選択した公共機関の連絡先を表示し、また当該公共機関がインターネット接続されている場合、当該公共機関のホームページにアクセスし、当該ホームページを災害情報画面の一部として表示することを特徴とする請求項１記載の災害情報連絡表示システム。
【発明の詳細な説明】
【技術分野】
【０００１】
本発明は、災害情報連絡表示システムに関する。
更に詳しくは、デジタル放送コンテンツ（ＴＶ映像など）の視聴者（ＴＶ視聴者）側から、災害情報を災害情報画面として表示する意思がある旨の配信要求を受けたとき、監視カメラ画像、当該画像に関連する各種情報を含む災害情報を災害情報画面として、ＴＶ映像などを配信するデジタル放送システム（ＴＶ映像・災害画像配信装置）を介してデジタル放送受像機（含デジタル放送受信機能を有する端末）に配信し、当該デジタル放送受像機（ＴＶ受像機）の表示部（ディスプレイ）による表示をもって、当該災害情報画面を通じてＴＶ視聴者個々に各種の災害情報を連絡するサービスを提供する災害情報連絡表示システムに関する。
【背景技術】
【０００２】
本技術分野の背景技術として、特開２０１０−２３７８０１号公報（特許文献１）、特開２０１１−６１４０９号公報（特許文献２）などがある。
【０００３】
特許文献１の公報には、課題として、「災害速報情報の送信処理における重複送信を抑制する」ことが記載され、係る課題を解決する手段として、「災害情報検知装置３０で検知された災害情報を受信し、この災害情報に基づく災害速報情報を作成して災害速報情報受信端末５０へ送信する複数の災害速報情報送信装置１０が、災害情報検知装置３０から災害種別ＩＤ、災害発生予定時刻、発生場所、および災害規模を含む災害情報を受信し、この災害情報と送信履歴情報管理データベース２０から取得した送信履歴情報とを災害種別ＩＤおよび災害発生予定時刻に基づいて比較し、他の災害速報情報送信装置１０からの同一の災害に係る送信履歴情報の登録の有無を判定する。判定結果が未登録の場合、受信された災害情報を放送コンテンツに付加した災害速報情報を災害速報情報受信端末５０へ送信する。そして、現在時刻が発生予定時間より過去の送信履歴情報を送信履歴情報管理データベース２０より逐次削除する」災害速報情報送信システムが記載されている（要約参照）。
【０００４】
また、特許文献２の公報には、課題として、「液晶テレビ等のテレビにおいて、地震発生等の緊急災害情報を瞬時に表示して警報することを可能とする。」ことが記載され、係る課題を解決する手段として、「デジタル放送チューナーが、被圧縮の画像データを受信した際、あるいは、電子番組表データに緊急災害情報が重畳された受信データを受信した際、緊急情報識別信号を出力する緊急情報識別信号出力手段を備え、この緊急情報識別信号に基づいて、表示処理部のＯＳＤ処理部を直接制御し、テレビのデコーダ、映像処理部、表示処理部で処理することなく、緊急災害情報を瞬時に表示できるようにする」テレビが記載されている。
【先行技術文献】
【特許文献】
【０００５】
特開２０１０−２３７８０１号公報（特許文献１）
特開２０１１−６１４０９号公報（特許文献２）
【発明の開示】
【発明が解決しようとする課題】
【０００６】
前記特許文献１には、災害情報検知装置から災害情報を受信したとき、当該災害情報を放送コンテンツ（ＴＶ映像）に付加した災害速報情報を災害速報受信端末へ送信する災害速度情報送信装置（コンピュータ）を含む災害速報情報送信システムの仕組みが記載されている。
【０００７】
しかし、災害速報情報の例として、災害種別、災害発生予定時刻、震源地、規模、などの情報を災害速報受信端末へ送信することについては記載されているも緊急災害発生時の状況災害画像（監視カメラ画像など）を、例えば視聴者側の意思により、リアルタイムで視覚的に確認することまでは考慮されていない。
【０００８】
また、前記特許文献２には、緊急情報識別に基づいて、テレビの表示パネル（ＴＶ画面）に緊急災害情報を表示する緊急防災情報通報機能を備えたテレビが記載されている。
【０００９】
係るテレビによれば、一般家庭において、緊急防災情報通報を視覚的に確認することができる。しかし、特許文献１と同様に視聴者側の意思により、災害画像（監視カメラ画像など）をリアルタイムで視覚的に確認することができない。
【００１０】
換言すれば、従来にあっては、緊急災害情報速報を緊急災害システム側から一方的に通知を受けるだけであり、その通知を受ける側（ＴＶ視聴者など）の判断をもって自発的にどのように対処すべきかまで考慮されていない。
【００１１】
したがって、システムの利用者やＴＶ視聴者が更に具体的状況を把握したいと興味をもった場合には、専用ソフトやブラウザなどによる特別なサービスを利用する必要があった。
【００１２】
そこで、本発明は、緊急災害時などにおける画像、例えば津波、土砂崩れなどの状況を映した監視カメラ画像（災害情報画面）を一般家庭に普及しているデジタル放送受像機（ＴＶ受像機）において、選択的に見ることができ、しかも一般住民が専用ソフトやブラウザなどによる特別なサービスシステムを利用することなく、視聴者の意思をもって積極的にリアルタイムで見ることができる災害情報連絡表示システムを提供する。
【００１３】
また、二次的な各種情報、つまり災害時に必要となる情報、例えば避難活動などに有効な住民サービスが含まれる災害情報画面を選択し、当該選択した画面に関係する詳細情報まで見ることができる災害情報連絡表示システムを提供する。
【課題を解決するための手段】
【００１４】
上記課題を解決するために、本発明は、災害情報に関連する情報を提供する側の情報入力システム（例えば監視カメラシステム、緊急災害情報システム、公共機関システム、その他災害情報システムなど）、デジタル放送コンテンツを受信するデジタル放送受像機（ＴＶ受像機）などと連携して機能するＴＶ局に、情報入力システム側からの緊急災害情報を受信したとき、又は監視カメラ画像に特別な変化（変位）が見られたとき、当該緊急災害情報（災害情報画面）を表示する意思があるか否かを伺う旨の情報をメッセージ画面用として、デジタル放送システムを介してデジタル放送受像機に配信し、また、デジタル放送受像機側のＴＶ視聴者が表示部（ディスプレイ）に表示される前記メッセージ画面を見て、災害情報画面配信要求指令を行ったとき、当該要求指令を受信し、当該要求指令に応答して、情報入力システム側の監視カメラで捉えた画像、当該画像に関連する災害時に必要な情報を災害情報画面用として、デジタル放送システムを介してデジタル放送受像機に配信し、前記デジタル受像機の表示部にて見えるようにする手段（災害情報受信システム、災害情報配信要求指令受信システム、デジタル放送システム）を設けた。
【００１５】
例えば、本願発明の災害情報連絡表示システムは、各種災害情報を提供する災害情報システム、複数の監視カメラを含む監視カメラシステム、デジタル放送受像機と連携し、前記デジタル放送受像機の表示部に災害情報を表示する意思があるか否かを伺う旨の情報をメッセージ画面用とし、また、監視カメラ画像、及び当該災害情報に必要となる災害時必要情報メニューを含む情報を災害情報画面用としてＴＶ視聴者側のデジタル放送受像機に配信するＴＶ局を備え、
前記ＴＶ局は、災害情報受信システム、デジタル放送システム、を有し、
前記災害情報受信システムは、
前記災害情報システムの災害情報及び前記監視カメラシステムの監視カメラ画像を受信する手段、
前記受信した監視カメラ画像の動きから、当初の監視カメラ画像に変化が有るか無いか、また前記受信した災害情報をもって、災害発生時の緊急度を判定する手段、
前記メッセージ画面に関するメッセージ情報、前記災害情報画面のメニューに関するメニュー情報、及び当該メニュー情報に関連する各種の情報を格納する情報格納手段、
前記判定手段にて緊急度判定結果、緊急度が高いと判定されたとき、前記メッセージ情報を前記情報格納手段から読み出し、又は前記デジタル受像機側から送信される災害情報画面配信要求指令を受けたとき、前記メッセージ情報、前記メニュー情報、及び前記各種情報を前記情報格納手段から読み出す情報読取手段、を有し、
前記デジタル放送システムは、
前記メッセージ情報をメッセージ画面とし、またメニュー情報、監視カメラ画像、各種情報を含む情報を災害情報画面として、前記デジタル放送受像機に配信する災害情報画面配信手段、
前記デジタル放送受像機側からの災害情報画面配信要求指令を受信する災害情報配信要求指令受信手段、を有し、
前記デジタル放送受像機は、
前記デジタル放送システム側から受信したメッセージ画面、及び災害情報画面を表示する表示手段、
ＴＶ視聴者が前記デジタル放送受像機の表示手段に表示されたメッセージ画面を見て、災害情報を表示する意思がある旨を示す前記災害情報画面配信要求指令を、リモートコントロールを介して行ったとき、当該指令を前記デジタル放送システム側に送信する送受信手段、
前記災害情報画面配信要求指令を受け、当該表示手段の表示画面をＴＶ映像画面から災害情報画面に切り替える画面切替制御手段、
を有し、
前記表示手段は、
前記デジタル放送システムからの放送コンテンツを表示するＴＶ映像画面、前記メッセージ情報を表示するメッセージ画面、及び前記メニュー情報、前記各種情報、前記監視カメラ画像を含む災害情報画面、をそれぞれ表示する表示領域を有し、
前記画面切替制御手段は、
前記デジタル放送受像機側の視聴者が前記メッセージ画面を選択しとき、前記表示手段の表示画面を前記災害情報画面に切り替えて前記監視カメラ画像、前記メニュー情報を含む災害情報画面を表示するように制御し、
かつ前記デジタル放送受像機側の視聴者が前記メニュー情報を含むメニュー画面の何れかを選択したとき、当該選択したメニュー画面に関連する前記各種情報を表示するに制御する
ことを特徴とする。
【００１６】
前記メニュー画面は、避難所に関する情報を含むメニュー画面、緊急連絡に関する情報を含むメニュー画面、公共機関からの掲示情報を含むメニュー画面、監視カメラ画像の拡大画面を含むメニュー画面、複数の監視カメラの監視カメラ画像を複数の分割画面として表示するメニュー画面、を含むことを特徴とする。
【００１７】
前記画面切替制御手段は、ＴＶリモコンからのリモートによる災害情報画面切替指令を受け、デジタル放送受像機の表示部に表示される画面を前記デジタル放送システムからの災害情報画面となるよう切り替え制御することを特徴とする。
【００１８】
前記避難所に関する情報を含むメニュー画面を選択したとき、避難地図や防災に関連する近隣店舗、を前記災害情報画面の一部として表示することを特徴とする。
【００１９】
前記公共機関からの掲示情報を含むメニュー画面を選択したとき、当該選択した公共機関の連絡先を表示し、また当該公共機関がインターネット接続されている場合、当該公共機関のホームページにアクセスし、当該ホームページを災害情報画面の一部として表示することを特徴とする。
【発明の効果】
【００２０】
本発明によれば、緊急災害情報を受取るための専用ソフトやブラウザを必要とするパソコンを必要とせず、また、その立ち上げなどが不要で、迅速に災害時の画像をモニタすることが可能であり、デジタル放送受像機を有する住民（視聴者）に対して、例えば避難活動などに有効な緊急災害画像をリアルタイムで提供することができる。
上述した以外の課題、構成及び効果は、以下の実施形態の説明により明らかにされる。
【図面の簡単な説明】
【００２１】
【図１】本願発明の災害情報連絡表示システムの全体概要を示す図である。
【図２】本願発明の災害情報連絡表示システムの一実施例を示す構成図である。
【図３】デジタル放送受像機に監視カメラ画像、災害時必要な情報を表示するための各種情報表示ボタンを含む災害情報画面の一例を示す図である。
【図４】デジタル放送受像機に情報表示ボタンに関連する避難所場所情報を含む災害情報画面の一例を示す図である。
【図５】デジタル放送受像機に情報表示ボタンに関連する緊急連絡先情報を含む災害情報画面の一例を示す図である。
【図６】ＴＶ受像機に情報表示ボタンに関連する公共機関からの連絡情報を含む災害情報画面の一例を示す図である。
【図７】デジタル放送受像機に情報表示ボタンに関連する監視カメラ画像の拡大画面表示画面を含む災害情報画面の一例を示す図である。
【図８】デジタル放送受像機に情報表示ボタンに関連する複数の監視カメラ画像の分割画面を含む災害情報画面の一例を示す図である。
【図９】災害情報画面の画面切替制御部の処理を説明するフローチャートである。
【発明を実施するための形態】
【００２２】
以下、実施例を、図面を用いて説明する。
【実施例】
【００２３】
本実施例では、災害情報連絡表示システムとして、災害発生時に災害情報（災害情報画面）を表示する意思があるか否かを伺う旨の情報を含むメッセージ画面とし、監視カメラシステムの監視カメラ画像を災害情報画面として、例えば地域に密着したケーブルＴＶ局を介して、デジタル放送受信機に配信する例を説明する。
【００２４】
図１は、本実施例の災害情報連絡表示システムの概略を示す図である。
同図において、災害情報連絡表示システムは、各種入力情報源となる各種入力情報システム１００、デジタル放送受像機２００、及びこれらと連携するＴＶ局３００を有する。
【００２５】
入力情報システム１００は、例えば、緊急災害情報を提供する災害情報システム１１０、監視カメラ画像を出力する監視カメラシステム１２０、公共機関に関する情報を提供する公共機関システム１３０、その他災害情報システム１４０、を有する。
【００２６】
緊急災害情報システム１１０は、例えば地震発生時に緊急地震速報を、ネットワークなどを介して通報するシステムである。
【００２７】
監視カメラシステム１２０は、複数のポイント、本例では８か所に設置され、監視対象物を監視する８台の監視カメラ１〜８を有する。
監視カメラは、例えば、高台に設置され、海面上昇（津波状況）や土手の斜面状況（崖崩れ）などを監視し、監視カメラ画像をライブ画像として、ネットワークなどを介して出力するものである。監視カメラには、既存のモーション検知機能を有し、監視カメラの画像画面の動き、変化（変位）などを検知し得るものを利用する。
【００２８】
公共機関システム１３０は、公共機関からの災害情報、例えば避難命令、災害情報、食料等の支給など災害時に必要とされる情報などを直接、又はネットワークなどの仲介物を介して通報するシステムである。そして、例えば、公共機関の役所、県庁、病院、学校、警察、等々のホームページにアクセス可能な機能を有し、連絡先を含む各種情報を提供するシステムである。
【００２９】
その他の災害情報システム１４０は、一般的に知られている災害情報、例えば、自然災害情報（地震、竜巻、崖崩れ、など）、気象情報（大雨、洪水、強風、雷など）、交通情報（交通事故、交通渋滞など）の速報を通報するシステムや不特定多数の企業や個人からの投稿動画コンテンツ、情報などを提供するシステムである。
【００３０】
ＴＶ局３００は、デジタル放送コンテンツ（ＴＶ映像、音声）及び入力情報システム１００からの災害情報（画像、文字、音声など）を当該ＴＶ局と受信契約している視聴者側のデジタル放送受像機２００に配信するデジタル放送システム（図２の３２０参照）、を有する。
【００３１】
ＴＶ局３００は、各種入力情報システム１００の入力情報を受けたとき、また、当該入力情報を元に緊急度が高いと判定した場合、災害情報を表示するか否かのメッセージをメッセージ画面２３０１としてデジタル放送受像機２００に配信する。このとき、当該入力情報の一部である監視カメラ画像をデジタル放送受像機２００に配信してもよい。この場合、デジタル放送受像機２００側では、当該監視カメラ画像を子画面２３０２として表示し、当該画面をもって、メッセージ画面と同様な意味を持たせるようにとして配信してもよい。
【００３２】
また、ＴＶ局３００は、後述するようにデジタル放送受像機２００の表示部２３０に表示されるメッセージ画面２３０１を確認した視聴者側により、災害情報画面配信要求指令を受けたとき、前記監視カメラ画像を災害情報画面（親画面）としてデジタル放送受像機２００に配信し、また災害情報画面に関連するメニュー情報をメニュー画面２３０４として配信する（図３参照）。
【００３３】
当該メニュー画面２３０４には、例えば、避難所情報を含むメニュー画面２３０４１、緊急連絡先情報を含むメニュー画面２３０４２、公共機関からの掲示板情報を含むメニュー画面２３０４３、・・・監視カメラ画像を拡大して表示するメニュー画面２３０４７、複数の監視カメラを分割して表示するメニュー画面２３０８、などが含まれる。
【００３４】
当該メニュー画面２３０４１〜２３０４８の何れかを選択したときには、当該選択したメニュー画面に関連する情報を含む情報関連画面２３０５として配信する（図３参照）。
【００３５】
デジタル放送受像機２００は、ＴＶ局３００から配信される映像、画像、音声、文字などの情報を受信し、表示部（ディスプレイ）２３０に上述した各画面を表示する機能を有する。また、デジタル放送システムと双方向送受信が可能な機能を有する。
【００３６】
また、災害発生時にＴＶ局３００から配信される緊急地震情報、監視カメラ画像、公共機関の緊急災害通報などの情報を受けたとき、又は監視カメラ画像に特別な変化（変位）が見られたとき、デジタル放送受像機２００の表示部２３０にメッセージ画面２３０１、例えば、災害情報を表示しますかなどを意味する「災害情報表示」を促す文字情報をメッセージ画面２３０１として表示する機能を有する。また、図１に示すようにメッセージ画面２３０１とともに災害情報の１つである監視カメラ画像（子画面）２３０２として表示する機能を有するものであってもよい。
【００３７】
また、デジタル放送受像機２００は、リモートコントロール（リモコン）２８０、を有し、当該リモコンの操作をもって、例えば、「災害情報表示」を問うメッセージ画面２３０１に対して、「災害情報画面」を要求する「ＹＥＳ」ボタンを選択することにより、表示部２３０の画面が、ＴＶ画面から災害情報画面となるように切り替わる（図３参照）。
【００３８】
「ＮＯ」ボタンを選択した場合には、通常時に放送されるデジタル放送コンテンツ（ＴＶ映像など）を表示する画面に戻るよう制御する。
なお、メッセージ画面２３０１を選択する方法として、デジタル受信受像機２００として、例えば、デジタル放送受信機能を有するモバイル端末を使用した場合には、表示部２３０の表示画面をタッチして画面の選択、切り替えする方式であってもよい。
【００３９】
図２は、本願発明の災害情報連絡表示システムの一実施例を示す構成図である。同図において、ＴＶ局３００は、災害情報受信システム（監視カメラ画像・緊急災情報受信装置）３１０、デジタル放送システム（ＴＶ映像・災害画像配信装置）３２０、災害情報配信要求指令受信システム（災害情報配信要求指令受信装置）３３０、を有する。
【００４０】
災害情報受信システム３１０は、入力情報システム１００（１１０〜１４０）からの監視カメラ画像、緊急災害情報、などを受信する監視カメラ画像・緊急災害情報受信装置を有する。
【００４１】
災害情報受信システム３１０の監視カメラ画像・緊急災情報受信装置は、監視カメラ画像受信部３１０１、災害情報受信部３１０２、災害情報判定部３１０３、監視カメラ画像・災害情報記憶部３３１０４、災害情報に関連する各種情報格納ＤＢ３１０５、監視カメラ画像・各種情報読取部３１０６、を有する。
【００４２】
監視カメラ画像受信部３１０１は、複数の監視カメラ１２０１〜１２０８からの監視カメラ画像を受信する。
【００４３】
災害情報受信部３１０２は、緊急災害情報システム１１０、公共機関システム１３０、その他災害情報システム１４０、からの各情報を受信する。
【００４４】
災害情報判定部３１０３は、緊急災害発生時、受信した監視カメラ画像や災害情報を受け、当該画像に変化が生じた場合や当該災害情報が所定の基準を超えた場合、例えば津波発生を警戒する必要があると思われるか否、つまり緊急度を判定する。例えば、地震が発生し、震度が４以上などの場合や監視カメラ画像に大きな変化（変位）があった場合、緊急度が高いと判定する。
【００４５】
この判定結果、当該画像に変化が生じた場合や当該災害情報が所定の基準を超え、緊急度が高いと判定した場合、ＴＶ局３００のデジタル放送システム３２０側からデジタル放送受像機２００側に対して、メッセージ画面２３０１、例えば、災害情報を表示しますかなどを意味する「災害情報表示」を促す文字情報をメッセージ画面２３０１としてデジタル放送受像機２００の表示部２３０に表示される文字情報を配信する。このとき、図１に示す如く、通常時のＴＶ映像画像の視覚に支障がない程度に「監視カメラ画像（子画面）」２３０２がＴＶ画面に表示されるような画像を配信してもよい。つまり、通常時のＴＶ映像と区別して表示することをもって災害発生が起きたことを視聴者に知らせる。
【００４６】
監視カメラ画像・災害情報記憶部３１０４は、監視カメラ画像受信部３１０１にて受信した監視カメラ画像や災害情報受信部３１０２にて受信した各種災害情報を記憶、保持する。これらの記憶、保持は必要に応じて行う。
【００４７】
災害情報に関連する各種情報格納ＤＢ３１０５は、入力情報システム１００とは別に災害情報に関連する各種情報、例えば、図３〜図８に示すメニュー画面の各情報、つまり「避難所」を示すメニュー画面２３０４１、「緊急連絡先」を示すメニュー画面２３０４２、「公共機関から掲示」を示すメニュー画面２３０４３、「拡大画面表示」を表示するメニュー画面２３０４７、「分割画面表示」を表示するメニュー画面２３０４７などの各情報を格納する。
また、上述したような「災害情報を表示しますか」などの「災害情報表示」とするメッセージ画面２３０１の文字情報を格納する。
【００４８】
監視カメラ画像・各種情報読取部３１０６は、デジタル放送受像機２００側から災害情報配信画面要求指令を受けたとき、監視カメラ画像・災害情報記憶部３１０４から所望の監視カメラ画像及び災害情報を読み取り、また種情報格納ＤＢ３１０５から災害情報に関連する情報を読み取り、デジタル放送システム３２０に供給する。監視カメラ画像は、監視カメラシステム１２０からの監視カメラ画像をダイレクトにリアルタイムでデジタル放送システム（ＴＶ映像・災害画像配信装置）３２０側に供給してもよい。
【００４９】
デジタル放送システム（ＴＶ映像・災害画像配信装置）３２０は、災害情報画面（各種情報＆監視カメラ画像）配信部３２０１、を有する。
【００５０】
災害情報画面（各種情報＆監視カメラ画像）配信部３２０１は、災害情報受信システム３１０からの災害情報画面（各種情報＆監視カメラ画像）を受け、当該情報を周知手段によりアンテナを介して一般家庭向けデジタル受像機２００に配信する。
【００５１】
災害情報配信要求指令受信システム（災害情報配信要求指令受信装置）３３０は、デジタル放送受像機２００側からの災害情報配信要求指令を受ける災害情報配信要求指令受信部３３０１、を有する。
【００５２】
災害情報配信要求指令受信部３３０１は、上述したデジタル受像機２００のリモコン２８０のリモコン操作による指令、つまり災害情報配信要求指令（ＹＥＳ）を受ける。
【００５３】
このとき、監視カメラ画像・各種情報読取部３１０６に対して、監視カメラ画像・災害情報記憶部３１０２、災害情報に関連する各種情報格納ＤＢ３１０５から所望の画像・情報の読み取りを実行するよう制御する。
【００５４】
監視カメラ画像・各種情報読取部３１０６にて読み取られた画像、情報は、災害情報画面配信部３２０１を介してデジタル受像機２００に配信する。
【００５５】
災害情報画面配信要求指令は、後述する災害発生時にデジタル放送受像機２００の表示部（ディスプレイ）２１０に表示される上述したメッセージ画面２３０１に対して、例えば、リモコン２８０による画面切替操作をもって行うようにする。また、画面切替は、リモコン２８０による画面切替操作により行われる。リモコン２８０は、デジタルデットボックスの災害情報画面切替指令受信・災害情報配信要求指令受信部に対して画面切替指令（例えばＹＥＳ／ＮＯ）信号を出力し、画面切替制御部にて画面切替を行う。
【００５６】
デジタル放送受像機２００は、デジタルセットボックスを含み、受信部（チューナ）２１０、映像・画像処理部２２０、表示部２３０、災害情報画面（監視カメラ画像、各種情報）記憶部２４０、画面切替制御部２５０、災害情報画面切替指令受信部２６０、災害情報画面配信要求指令送信部２７０、リモートコントロール（リモコン）２８０、などを有する。
【００５７】
受信部（チューナ）２１０は、デジタル放送システム３２０からのデジタル放送の映像や画像などを受信し、復号する。
映像・画像処理部２２０は、受信放送の映像や画像に所望の処理を行う。
表示部（ディスプレイ）２３０は、映像や画像などを表示する。
災害情報画面記憶部２４０は、必要に応じてデジタル放送システム３２０から配信される災害情報画面（監視カメラ画像、各種情報）を記憶する。
【００５８】
災害情報画面切替指令受信部２６０は、リモコン２８０からの命令（制御信号）を受信する。
【００５９】
画面切替制御部２５０は、当該命令（制御信号）に基づき、デジタル放送受像機２００の表示部２３０のＴＶ画面を災害情報画面（図３〜図８）に切り替える機能、を有する。
【００６０】
図３〜図８は、デジタル放送受像機２００の表示部２３０における災害情報画面例を示す図である。そして、図３は、リモコン２８０にて、災害情報を表示する旨の指令を行ったときの災害情報画面例である。
【００６１】
同図において、表示部２３０は、監視カメラ画像画面を表示する領域２３０３、メニュー画面（メニューボタン）を表示する領域２３０４、当該メニュー画面に関連する各種情報（文字情報）を表示するエリア２３０５、を有する。
【００６２】
図４は、各種メニュー画面（メニューボタン）を表示する領域２３０４に表示された避難所情報ボタン２３０４１を選択したとき、監視カメラ画像を表示する領域２３０３を表示する領域２３０４に避難用地図２３０４１１を表示し、当該各種情報表示ボタンに関連する情報（文字情報）を表示する領域２３０５に避難所一覧３１４１２を表示した例である。
【００６３】
図５は、緊急連絡先ボタン２３０４２を選択したとき、当該各種情報表示ボタンに関連する情報（文字情報）を表示する領域２３０５に緊急連絡先２３０４２などを表示した例である。なお、この表示は、監視カメラ画像を表示する領域２３０３に跨って（拡大して）表示してもよい。
【００６４】
図６は、公共機関から掲示板ボタン２３０４３を選択したとき、当該各種情報表示ボタンに関連する情報（文字情報）を表示する領域２３０５に緊急連絡先２３０４３１などを表示した例である。なお、この表示は、監視カメラ画像を表示する領域２３０３に跨って（拡大して）表示してもよい。
【００６５】
図７は、拡大画面表示ボタン２３０４７を選択したとき、当該各種情報表示ボタンに関連する情報（文字情報）を表示する領域２３０５及び監視カメラ画像を表示する領域２３０３に跨って（拡大して）１つの災害情報画面を拡大表示した例である。
【００６６】
図８は、分割画面表示ボタン２３０４８を選択したとき、当該各種情報表示ボタンに関連する情報（文字情報）を表示する領域２３０５及び監視カメラ画像を表示する領域２３０３に跨って複数の災害情報画面（監視カメラの画像）を分割表示した例である。
【００６７】
図９は、災害情報画面の画面切替制御部の処理を説明するフローチャートである。
同図において、災害情報受信システム３１０、デジタル放送システム３２０を含むＴＶ局３００側は、ステップＳ３１０１にて、監視カメラ画像を受信し、ステップＳ３２０１にて、各種災害情報を受信する。そして、監視カメラ画像記憶部３１０４、各種情報格納ＤＢ３１０１５に記憶する。
【００６８】
次に、ステップＳ３２０２にて災害情報画面をデジタル放送受像機２００側に配信すべきか否かの判断のため、受信した災害情報を元に緊急度を判定する。例えば、震度＞4以上の場合や監視カメラ画像が大きく変化（変移）しているか否かなどをもって、緊急度が高いか否かを判定する。
【００６９】
当該ステップにて、緊急度が高いと判定された場合（Ｙ／有）には、ステップＳ３２０３にて、災害情報画面の表示可否を伺う旨の情報を含むメッセージを各種情報格納部３１０５から読出す。
そして、ステップＳ３２０４にて、当該メッセージ及び監視カメラ画像を、デジタル放送システム３２０を介してデジタル放送受像機２００に送信する。
【００７０】
また、ＴＶ局３００側は、ステップＳ３３０１にて、通常のデジタル放送コンテンツ（ＴＶ映像）をデジタル放送受像機２００に送信する。
【００７１】
デジタル放送受像機２００側は、ステップＳ２００１にて、ＴＶ映像を受信し、表示部２３０に表示する。受信したＴＶ映像及び災害情報・監視カメラ画像を災害情報画面記録部２４０に記憶する。
【００７２】
また、デジタル放送受像機２００側は、ステップＳ２００２にて、メッセージ及び災害情報の監視カメラ画像を受信し、表示部２５０にて表示する。
【００７３】
このとき、表示部２３０のメッセージ画面２３０１を見て、リモコン２８０にて災害情報画面の配信要求を選択すると、ステップＳ２００３にて災害情報画面配信要求指令を受信し、ＴＶ局３００側に転送する。
【００７４】
すると、ＴＶ局３００側は、ステップＳにて、災害情報画面配信要求指令を受信し、ステップＳ３２０６にて、所望の災害情報及び監視カメラ画像を読み出し、当該読み出した災害情報及び監視カメラ画像を災害情報画面としてデジタル放送受信機２００側に送信する。
【００７５】
デジタル放送受像機２００側は、ステップＳ２００４にて、災害情報・監視カメラ画像を受信する。
【００７６】
このとき、表示部２５０の災害情報画面を見て、リモコン２８０にて災害情報画面切替を指令する切替信号（ＹＥＳ／ＮＯ）を送信すると、当該切替信号をステップＳ２００５にて受信し、ステップＳ２００６にて、その切替信号を判定する。当該ステップによる判定結果、災害情報画面に切り替えを希望する切替信号の場合（ＹＥＳ）には、ステップＳ２００７にて、デジタル放送受像機２００側のＴＶ画面を災害情報画面となるように切り替える。
【００７７】
災害情報画面に切り替えを希望しない切替信号の場合（ＮＯ）には、ステップＳ２００８にて、デジタル放送受像機２００側のＴＶ画面のまま、若しくはＴＶ画面に戻るように切り替える。
【００７８】
ステップＳ２００７にて、災害情報画面（図３参照）に切り替えたあと、表示部２３０に表示された各種情報表示メニュー（各種情報選択表示ボタン）２３０４を見て、その何れかのメニューをリモコン２８０にて選択すると、ステップＳ２００９にて、当該選択表示切替命令に応じた情報を表示する（図４〜図８参照）。
【００７９】
上記実施例では、災害発生時に、監視カメラ画像を含む災害情報画面を、自動的にデジタル放送システムを介してデジタル放送受像機２００に配信し、表示する例として説明しているが、デジタル放送受像機２００側がリモコン２８０からの災害情報画面配信要求指令を受けたときのみ、ＴＶ局側からの災害情報画面を受信、表示するように構成してもよい。
【００８０】
この場合には、災害情報受信システム（監視カメラ画像・緊急災害情報受信装置）３１０に、デジタル放送受信機側からの災害情報配信要求指令を受信する災害情報配信要求指令受信システム（災害情報配信要求指令受信装置）３３０を設け、当該指令に基づいて災害情報受信システム（監視カメラ画像・緊急災害情報受信装置）３１０側の災害情報画像をデジタル放送受像機２００側に配信するように構成する。
【００８１】
つまり、災害情報配信要求指令受信部３３０１が災害情報の配信を要求する指令を受けたとき、監視カメラ画像記録部や各種情報格納部から、所望の監視カメラ画像・災害情報を読み出し、デジタル放送システム３２０の災害情報画面（各種情報＆監視カメラ画像）配信部３２０１を介してデジタル放送受像機２００に配信する。
【００８２】
また、本例では、監視カメラ画像を災害情報受信システム側の記憶部に記憶した画像を読み出すようにしているが、監視カメラからの画像をダイレクトにデジタル放送システムを介してデジタル受像機側に配信してもよい。
【００８３】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、上記の各構成、機能等は、プロセッサがそれぞれの機能を実現するプログラムを解釈し、実行することによりソフトウェアで実現してもよい。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００８４】
１００  各種入力情報システム
１１０  緊急災害情報システム
１２０  監視カメラシステム
１３０  公共機関システム
２００  デジタル放送受像機
２３０  表示部
２５０  画面切替制御部
２６０  災害情報画面切替指令受信部
２８０  リモートコントロール
３００  ＴＶ局
３１０  災害情報受信システム
３２０  デジタル放送システム
３３０  災害情報配信要求指令受信システム
【図２】
2015039109.tif 000003
【図５】
2015039109.tif 000004
【図６】
2015039109.tif 000005
【図９】
2015039109.tif 000006
【図１】
2015039109.tif 000007
【図３】
2015039109.tif 000008
【図４】
2015039109.tif 000009
【図７】
2015039109.tif 000010
【図８】
2015039109.tif 000011